(57)【要約】      （修正有）【課題】簡易な構成で故障点の少ない照明玩具を備えた建物玩具を提供する。【解決手段】建物玩具は、光源（ＬＥＤ４２）と、壁部２１に設けられた第一開口部２１１と、光源からの光を導光する導光部材５０と、を有する照明玩具２を備え、導光部材５０は、始端５１が光源側に配置され、終端５２が第一開口部２１１側に配置され、終端５２には、光を第一開口部に反射させる傾斜端面５２１が形成される。【選択図】図３
0003213871.tif 000002
【実用新案登録請求の範囲】
【請求項１】
光源と、壁部に設けられた開口部と、前記光源からの光を導光する導光部材と、
を有する照明玩具を備え、
前記導光部材は、始端が前記光源側に配置され、終端が前記開口部側に配置され、
前記終端には、傾斜端面が形成される、
ことを特徴とする建物玩具。
【請求項２】
前記開口部を開閉するシャッター部を備えることを特徴とする請求項１に記載の建物玩具。
【請求項３】
前記シャッター部は、前記開口部の開閉を操作する操作部を有し、前記壁部と前記終端との間に滑動可能に設けられ、
前記操作部は、前記壁部に設けられたスイッチ孔に貫挿され、前記壁部の表側へ突出する、
ことを特徴とする請求項２に記載の建物玩具。
【請求項４】
前記シャッター部を前記壁部の反対側から押さえるカバー部材を備えることを特徴とする請求項２又は請求項３に記載の建物玩具。
【請求項５】
前記傾斜端面は、前記開口部の反対側に形成されることを特徴とする請求項１乃至請求項４の何れかに記載の建物玩具。
【請求項６】
前記終端を覆うカバー部材を備えることを特徴とする請求項１乃至請求項５の何れかに記載の建物玩具。
【請求項７】
前記カバー部材は、前記開口部と反対側に空間を形成しながら前記終端を覆うことを特徴とする請求項６に記載の建物玩具。
【請求項８】
前記開口部と前記導光部材を複数備えることを特徴とする請求項１乃至請求項７の何れかに記載の建物玩具。
【考案の詳細な説明】
【技術分野】
【０００１】
本考案は、建物玩具に関する。
【背景技術】
【０００２】
従来から、建物を模した模型玩具が提供されている。模型玩具には、室内灯等の照明器具を模した照明玩具が配置され、模型玩具の雰囲気をより実際の建物に近づけるようにしている。
【０００３】
照明玩具を備えた模型玩具の例として、特許文献１には鉄道用プラットホーム模型が開示されている。この鉄道用プラットホーム模型は、屋根部とホーム部とを柱模型で接続している。鉄道用プラットホーム模型は、屋根部側に設けられた導体と、この導体から供給される電力によって発光する発光体を備える。また、鉄道用プラットホーム模型は、発光体からの光をホーム部側に導く導光板を備える。
【先行技術文献】
【特許文献】
【０００４】
【特許文献１】特開２０１１−１１００７１号公報
【考案の概要】
【考案が解決しようとする課題】
【０００５】
特許文献１の鉄道用プラットホーム模型では、屋根部に複数の発光体が配置され、遮光板により一部の領域を覆うことにより、照明を行いたい部分を選択する構成としている。そのため、照明光として利用されない光が多くなり、発光体を余分に配置させる必要がある。
【０００６】
また、特許文献１では発光体として電球やＬＥＤを用いることが例示されている。このような発光体を用いる場合、電源部から電力を供給させるための電気的な配線が必要である。しかし、このような光源の構成とすると、発光体の数が多いほど光源とそのソケット部との間や、ソケット部、電源用スイッチ、電源部と配線との間などに多くの電気的な接点が生じる。このような接点は、部品の交換等で脱着が繰り返されることにより接触不良等の故障点となることがある。その結果、玩具全体の故障率が増加してしまうという課題があった。
【０００７】
本考案は、以上の点に鑑み、簡易な構成で故障点の少ない照明玩具を備えた建物玩具を提供することを目的とする。
【課題を解決するための手段】
【０００８】
本考案の一つの態様に係る建物玩具は、光源と、壁部に設けられた開口部と、前記光源からの光を導光する導光部材と、を有する照明玩具を備え、前記導光部材は、始端が前記光源側に配置され、終端が前記開口部側に配置され、前記終端には、傾斜端面が形成される。
【考案の効果】
【０００９】
上記態様によれば、簡易な構成で故障点の少ない照明玩具を備えた建物玩具を提供することができる。
【図面の簡単な説明】
【００１０】
【図１】本考案の実施形態に係る建物玩具の斜視図である。
【図２】本考案の実施形態に係る建物玩具の照明玩具を壁部の外面側から見た図である。
【図３】本考案の実施形態に係る建物玩具の照明玩具の図２におけるＩＩＩ−ＩＩＩ断面図である。
【図４】本考案の実施形態に係る建物玩具の照明玩具の図２における、（ａ）オン状態を示すＩＶ−ＩＶ断面図、及び（ｂ）オフ状態を示すＩＶ−ＩＶ断面図である。
【図５】本考案の実施形態に係る建物玩具の照明玩具の図２におけるＶ−Ｖ断面図である。
【考案を実施するための形態】
【００１１】
以下、図に基づいて本考案の実施形態を説明する。図１は、建物玩具１の斜視図である。建物玩具１は、下層部１０と上層部２０と照明玩具２とを備え、あかりが灯る２階建ての家屋を模している。下層部１０は床部、天井部、及び三枚の壁部１１により一つの部屋１０ａを形成している。上層部２０も床部、天井部、及び三枚の壁部２１により一つの部屋２０ａを形成している。部屋１０ａの天井部と部屋２０ａの床部は一枚の板材３１により形成される。遊戯者は、各部屋１０ａ，２０ａに、形象体や家具玩具等を配置して人形遊びやまま事遊び等をすることができる。
【００１２】
１階の部屋１０ａの壁部１１の内面１１ｂには、照明器具を模した二つの照明部８１が配置されている。２階の部屋２０ａの壁部２１の内面２１ｂにも、照明器具を模した一つの照明部８１が配置されている。また、壁部１１，２１の外面１１ｃ，２１ｃには、照明玩具２が設けられる。
【００１３】
図２は、照明玩具２を壁部２１の外面２１ｃ側から見た図である。また、図３、図４（ａ）、図４（ｂ）及び図５は、図２の照明玩具２の断面図である。図３は、ＩＩＩ−ＩＩＩ断面図であり、図４（ａ）及び図４（ｂ）は、オン状態を示すＩＶ−ＩＶ断面図とオフ状態を示すＩＶ−ＩＶ断面図であり、図５は、Ｖ−Ｖ断面図である。以下、照明玩具２の詳細について説明する。
【００１４】
照明玩具２は、光源部４０、導光部材５０，６０、シャッター部７０を備える。また、照明玩具２は、主に図３に示すように、壁部１１，２１に形成される第二開口部１１１及び第一開口部２１１と、これら第二開口部１１１及び第一開口部２１１に対応する照明部８１とを備える。なお、本実施形態の照明玩具２は、壁部１１，２１の外面１１ｃ，２１ｃ側に配置されるが、壁部１１，２１の内部に配置させてもよい。
【００１５】
光源部４０は、電圧源である電源４１と光源であるＬＥＤ４２により構成される。本図では、電源４１として電池を用いた例を示しているが、外部から有線により電力供給を受ける構成としてもよい。また、ＬＥＤ４２の代わりに白熱電球、有機ＥＬ、蛍光光を利用した光源等、他の光源を用いてもよい。電源４１は、プッシュボタン式のスイッチＳＷを介してＬＥＤ４２と直列に接続される。
【００１６】
導光部材５０は、１階の壁部１１から２階の壁部２１に亘って設けられる。導光部材５０は、全体が略四角柱の長尺棒状に形成される。導光部材５０は、透明な固体部材である。導光部材５０の材質として、周囲の空気よりも屈折率の高いプラスチックやガラス等の透光性のある材料を用いることができる。図３に示す導光部材５０の始端５１には、導光部材５０の長手方向に向かって略円形に窪んだ凹部５１１が形成される。凹部５１１の底部は、すり鉢状に形成されるが、平坦面としてもよい。ＬＥＤ４２の発光体が内装される発光部４２１は、凹部５１１の中に挿入される。また、発光部４２１は、電源４１と接続する端子４２２側の外周縁にフランジ部４２３を有する。ＬＥＤ４２は、このフランジ部４２３が凹部５１１の内周縁と係止することにより、導光部材５０に対して予め定められた位置に固定される。
【００１７】
始端５１付近において、壁部１１には、略円形の貫通孔である第二開口部１１１が形成される。第二開口部１１１は、図２のように壁部１１の外面１１ｃ側から見て、ＬＥＤ４２の発光部４２１の位置と略重なる位置に設けられる。
【００１８】
図３で、導光部材５０の終端５２には、傾斜端面５２１が形成される。傾斜端面５２１は、壁部２１の反対側を向くように形成される。
【００１９】
図２〜図４に示すように、導光部材５０の終端５２付近において、壁部２１の外面２１ｃ側には、略長方形状に窪んだ凹部２１２が形成される。凹部２１２の底面は、平坦に形成される。また、凹部２１２の底面には、略円形の貫通孔である第一開口部２１１が形成される。第一開口部２１１は、図２のように壁部２１の外面２１ｃ側から見て、導光部材５０の傾斜端面５２１の位置と略重なる位置に設けられる。第一開口部２１１の内径は、壁部２１の外面２１ｃ側から見た場合、傾斜端面５２１と略内接する大きさで形成される（不図示）。
【００２０】
シャッター部７０は、略長方形の板状に形成される。図４に示すように、シャッター部７０の長手方向の長さは、凹部２１２の長手方向の長さより短く形成される。シャッター部７０は、長手方向の中央部分が傾斜端面５１２とずれた位置に配置される。シャッター部７０は、第三開口部７１と操作部７２を有する。
【００２１】
第三開口部７１は、略円形の貫通孔として形成される。第三開口部７１の内径は、第一開口部２１１の内径と略同じに形成される。操作部７２は、シャッター部７０の板面から壁部２１の内面２１ｂ側（すなわち部屋２０ａ側）に向かって立設する。操作部７２は、壁部２１に設けられた略長方形状のスイッチ孔２１３に貫挿されて、壁部２１の内面２１ｂ側から突出する。
【００２２】
シャッター部７０は、主に図４に示すように、凹部２１２の中に係合しており、長手方向（図４の左右方向）に滑動することができる。このように、シャッター部７０は、導光部材５０と、第一開口部２１１との間に配置される。
【００２３】
壁部１１，２１の内面１１ｂ，２１ｂには、第一開口部２１１及び第二開口部１１１の位置に、照明部８１が設けられる（図３参照）。照明部８１の照明カバー８１１は、透光性のある部材により形成される。また、照明カバー８１１には、微細な凹凸が形成されており、第一開口部２１１及び第二開口部１１１から照明カバー８１１内に入射してくる光を拡散透過させることができる。
【００２４】
図２に戻り、導光部材６０は、１階の壁部１１の外面１１ｃに設けられる。導光部材６０は、導光部材５０と同様に、全体が略四角柱状の長尺棒状に形成される。導光部材６０は、導光部材５０と同様の材料により形成される。導光部材６０は、導光部材５０と異なる方向に向かって配置される。本図では、二つの導光部材５０，６０を、略直角となる向きに配置した例を示している。
【００２５】
導光部材６０の始端６１は、ＬＥＤ４２の発光部４２１側に配置される。図５に示すように、導光部材６０の始端６１の端面６１１は、導光部材５０の始端５１側の側面５１３と当接するように配置される。
【００２６】
導光部材６０の終端６２には、傾斜端面６２１が形成される。傾斜端面６２１は、壁部１１の反対側を向くように形成される。
【００２７】
壁部１１には、第一開口部２１１と同様の略円形の貫通孔である第四開口部１１２が形成される。第四開口部１１２は、図２のように壁部１１の外面１１ｃ側から見て、導光部材６０の傾斜端面６２１の位置と略重なる位置に設けられる。第四開口部１１２の内径は、壁部１１の外面１１ｃ側から見た場合、傾斜端面６２１と略内接する大きさで形成される（不図示）。
【００２８】
図２に戻り、照明玩具２は、導光部材５０，６０を壁部１１，２１に対して固定するためのカバー部材９１，９２，９３を有する。
【００２９】
導光部材５０の始端５１側に設けられたカバー部材９１は、二つの側板９１１を有する。側板９１１は、壁部１１から立設するように形成される。二つの側板９１１は、導光部材５０の長手方向と略平行となる向きに配置される。導光部材５０は、これら二つの側板９１１に挟まれ、導光部材５０の長手方向に垂直で壁部１１と平行な方向（図２の左右方向）への位置ずれが規制される。
【００３０】
また、カバー部材９１は、側板９１１と垂直方向を向いた二つの側板９１２を有する。側板９１２も、壁部１１から立設するように形成される。二つの側板９１２は、導光部材６０の長手方向と略平行となる向きに配置される。導光部材６０は、これら二つの側板９１２に挟まれ、導光部材６０の長手方向に垂直で壁部１１と平行な方向（図２の上下方向）の位置ずれが規制される。互いが垂直向きに配置される二つの側板９１１，９１２は、始端５１，６１側で接続される。
【００３１】
図３及び図５に示すように、側板９１１，９１２は、側板９１１，９１２と略垂直に天板９１３と接続される。カバー部材９１が壁部１１に対し固定されると、導光部材５０，６０の始端５１，６１は、天板９１３により壁部１１方向へ押えられ、始端５１，６１の壁部１１から離れる方向への位置ずれが規制される。
【００３２】
導光部材５０の終端５２側に設けられたカバー部材９２は、二つの側板９２１と、側板９２１同士を接続する中板９２２と、側板９２１の一方からシャッター部７０の中央部分側へ向けて延設される押え板９２３とを有する。側板９２１、中板９２２及び押え板９２３は、壁部２１から立設するように形成される。二つの側板９２１は、導光部材５０の長手方向と略平行となる向きに設けられる。導光部材５０は、これら二つの側板９２１に挟まれ、導光部材５０の長手方向に垂直で壁部２１と平行な方向（図２の左右方向）への位置ずれが規制される。
【００３３】
また、導光部材５０の終端５２付近には、二つのブロック状のガイド部９４が形成される。ガイド部９４は、導光部材５０の両側部に配置される。二つの側板９２１は、ガイド部９４により挟まれて、導光部材５０の長手方向に垂直で壁部２１と平行な方向（図２の左右方向）への位置ずれが規制される。
【００３４】
図２及び図３に示すように、側板９２１及び中板９２２は、側板９２１及び中板９２２と略垂直に天板９２４と接続される。カバー部材９２が壁部２１に対し固定されると、導光部材５０の終端５２は、天板９２４より壁部２１方向へ押えられ、終端５２の壁部２１から離れる方向の位置ずれが規制される。
【００３５】
図２及び図５に示すように、導光部材６０の終端６２側に設けられたカバー部材９３は、二つの側板９３１と、側板９３１同士を接続する中板９３２を有する。側板９３１及び中板９３２は、壁部１１の裏面から立設するように形成される。二つの側板９３１は、導光部材６０の長手方向と略平行となる向きに設けられる。導光部材６０は、これら二つの側板９３１に挟まれ、導光部材６０の長手方向に垂直で壁部１１と平行な方向（図２の上下方向）への位置ずれが規制される。
【００３６】
また、導光部材６０の終端６２付近には、二つのブロック状のガイド部９５が形成される。ガイド部９５は、導光部材６０の両側部に配置される。二つの側板９３１は、ガイド部９５により挟まれて、導光部材５０の長手方向に垂直で壁部１１と平行な方向（図２の上下方向）への位置ずれが規制される。
【００３７】
図５に示すように、側板９３１及び中板９３２は、側板９３１及び中板９３２と略垂直に天板９３３と接続される。カバー部材９３が壁部１１に対し固定されると、導光部材６０の終端６２は、天板９３４により壁部１１方向へ押えられ、終端６２の壁部１１から離れる方向の位置ずれが規制される。
【００３８】
つぎに、照明玩具２の動作について説明する。遊戯者がスイッチＳＷをオンに操作すると、発光部４２１は光を出射する。本実施形態で用いるＬＥＤ４２は指向性が高くなく、発光部４２１から出射された光は各導光部材５０，６０の内部へ、始端５１，６１側から入射する。
【００３９】
まず、導光部材５０における光路について説明する。導光部材５０に入射した光は、導光部材５０の屈折率が高いため、内面で全反射することにより終端５２側へ伝搬する。導光部材５０内を伝搬して終端５２へ達した光の一部は、傾斜端面５２１で反射して第一開口部２１１へ向かう。
【００４０】
終端５２へ達した光の他の一部は、傾斜端面５２１から側板９２１、中板９２２、天板９２４に囲われた空間Ｓ（図３参照）に出射される。導光部材５０からの光は、傾斜端面５２１において屈折して空間Ｓに出射される。空間Ｓに出射された光は、側板９２１、中板９２２及び天板９２４の表面で反射又は拡散反射された後、傾斜端面５２１に再び入射し、大部分が第一開口部２１１へ向かう。
【００４１】
なお、傾斜端面５２１に微細な凹凸を設ければ、傾斜端面５２１に達した光を、第一開口部２１１へ反射又は空間Ｓへ透過する際に、拡散させることができる。
【００４２】
ここで、遊戯者は、操作部７２をスイッチ孔２１３の長手方向に動かして、シャッター部７０を滑動させることができる。図４（ａ）は、第三開口部７１と、第一開口部２１１との位置を一致させて、シャッター部７０をオン状態とした場合を示している。図４（ｂ）は、第三開口部７１と、第一開口部２１１との位置を一致させないようにずらして、シャッター部７０をオフ状態とした場合を示している。遊戯者は、操作部７２を操作することにより、第一開口部２１１を開閉させることができる。なお、押え板９２３は、操作部７２を操作する際、シャッター部７０が凹部２１２から外れないように押える機能を有する。また、補助板９２５は、操作部７２の操作により押された押え板９２３が、側板９２１から外れることを防止する。
【００４３】
第一開口部２１１がオン状態である場合、空間Ｓ側から第一開口部２１１へ向かう光は、第一開口部２１１を通過し、照明カバー８１１を介して壁部２１の内面２１ｂ側（部屋２０ａ側）に出射される。なお、照明カバー８１１に凹凸が設けられていれば、照明カバー８１１から部屋２０ａ内に出射される光はさらに拡散されて、温かみのある照明器具を表現することができる。
【００４４】
遊戯者が第一開口部２１１を図４（ｂ）のオフ状態とさせると、第一開口部２１１から出射する光は、遮蔽される。
【００４５】
したがって、照明玩具２は、部屋２０ａ側から見ると、スイッチを有して点灯及び消灯の切り替えが可能な臨場感のある照明器具を表現することができる。
【００４６】
また、遊戯者は、操作部７２を操作して、シャッター部７０の板面により第一開口部２１１の一部を遮蔽することができ、第一開口部の遮蔽量を調節できる。そのため、第一開口部２１１と第三開口部７１とが重なる量に応じて空間Ｓから出射される光の量を変化させることができる。よって、照明玩具２は、部屋２０ａ側から見ると、無段階調光が可能なスイッチを有した照明器具を表現することができる。
【００４７】
一方、導光部材５０の始端５１側には、第二開口部１１１を開閉させるための部材が設けられていない。したがって、遊戯者がスイッチＳＷをオンに操作すると、発光部４２１から出射された光は、第二開口部１１１及び照明カバー８１１を介して、部屋１０ａ内に出射される。
【００４８】
つぎに、導光部材６０における光路について説明する。スイッチＳＷが投入されて発光部４２１から出射された光の一部は、導光部材６０側へ向かう。発光部４２１からの光は、導光部材５０と同様に、内面で全反射することにより終端６２側へ伝搬する。導光部材６０内を伝搬して終端６２へ達した光の一部は、傾斜端面６２１で反射して第四開口部１１２へ向かう。
【００４９】
終端６２へ達した光の他の一部は、傾斜端面６２１から側板９３１、中板９３２、天板９３３に囲われた空間Ｓ（図５参照）に出射される。導光部材６０からの光は、傾斜端面６２１において屈折して空間Ｓに出射される。空間Ｓに出射された光は、側板９３１、中板９３２及び天板９３３の表面で反射又は拡散反射された後、傾斜端面６２１に再び入射し、大部分が第四開口部１１２へ向かう。
【００５０】
なお、傾斜端面６２１に微細な凹凸が設ければ、傾斜端面６２１に達した光を、第四開口部１１２へ反射又は空間Ｓへ透過する際に、拡散させることができる。
【００５１】
導光部材６０の終端６２側には、第四開口部１１２を開閉させるための部材が設けられていない。したがって、遊戯者がスイッチＳＷをオンに操作すると、発光部４２１から第四開口部１１２へ向かった光は、照明カバー８１１を介して、部屋１０ａ内に出射される。
【００５２】
以上、本考案の実施形態を説明したが、本考案は以上の実施形態によって限定されることはなく、種々の態様で実施することができる。
【００５３】
本実施形態では、照明玩具２がシャッター部７０により光を調節可能な第一開口部２１１を一つ設けた例について説明したが、第二開口部１１１や第四開口部１１２に対してもシャッター部を配置させて、各位置の照明部８１の点灯及び消灯を個別に切り替え可能な構成としてもよい。また、図２のＬＥＤ４２側から導光部材５０，６０と異なる他の方向に延設させた別の導光部材をさらに設けて、これらの導光部材の終端位置にそれぞれシャッター部７０及び第一開口部２１１を設ける構成としてもよい。こうすることで、部屋１０ａ，２０ａ内に配置可能な照明部８１をさらに増やすことができる。
【００５４】
また、導光部材５０，６０の形状は、長尺の略四角柱状としたが、その他の角柱又は円柱状としてもよいし、湾曲可能な紐状体としてもよい。さらに、照明玩具２は、導光部材５０，６０とともに反射ミラーを設けることで導光方向を変化させたり、ハーフミラーを設けることで一部の光を別の光路へ分割させてもよい。
【００５５】
また、導光部材５０，６０の終端５２，６２に設けられた傾斜端面５２１，６２１は、壁部１１，２１と同じ側に設ける構成としてもよい。さらに、導光部材５０，６０は、長手方向の途中の側面に、凹凸、切込みあるいは溝等を設け、内面反射により導光される光の一部を途中で壁部１１，２１側へ導光させる構成としてもよい。例えば、壁部１１，２１と反対側の位置に凹凸、切込み、溝等を設けて、壁部１１，２１には開口部を設ける。これにより、導光部材５０，６０の途中の位置においても照明部８１を配置させることができる。
【００５６】
また、操作部７２と第一開口部２１１は離れた位置に設けてもよい。この場合、光を遮蔽するシャッター部７０は、第一開口部２１１付近の開口部に設けられる。シャッター部７０は、操作部７２とその離れた距離に応じた長さの接続部を介して接続され、操作部７２の動きと連動して開閉する構成としてもよい。接続部は、剛性を持った板状体や棒状体により形成してもよいし、柔軟性のあるシートや糸状体により形成してもよく、操作部７２の開閉動作に応じてシャッター部７０を開閉させる機構とすることができる。よって、照明部８１は、壁部１１，２１以外にも天井等の任意の位置に配置させることができる。
【００５７】
以上のような本考案の実施形態によれば、下記の態様の建物玩具を提供することができる。
【００５８】
第１の態様に係る建物玩具は、光源と、壁部に設けられた第一開口部と、前記光源からの光を導光する導光部材と、を有する照明玩具を備え、前記導光部材は、始端が前記光源側に配置され、終端が前記開口部側に配置され、前記終端には、傾斜端面が形成される。
【００５９】
この構成によれば、光源から出射された光を用いて、その光源から離れた位置に配置された照明部に光を導光することができる。また、電気配線に接続された発光点を照明部毎に直接設ける必要がないため、電気的な接点を減らすことができる。よって、簡易な構成で故障点の少ない照明玩具を備えた建物玩具構成することができる。
【００６０】
第２の態様に係る建物玩具は、前記開口部を開閉するシャッター部を備える。
【００６１】
この構成によれば、開口部の遮蔽量を調節できるため、照明部から出射される光を無段階に調光することができる。
【００６２】
第３の態様に係る建物玩具は、前記シャッター部は、前記開口部の開閉を操作する操作部を有し、前記壁部と前記終端との間に滑動可能に設けられ、前記操作部は、前記壁部に設けられたスイッチ孔に貫挿され、前記壁部の表側へ突出する。
【００６３】
この構成によれば、建物玩具のスイッチを表現した臨場感のある照明玩具を簡易に構成することができる。また、電気的に光を無段階に調光する構成にしようとすると、部品点数が増えて、接点も増えてしまうが、この構成によれば、簡易な構成で故障点が少ない無段階調光機能を設けることができる。
【００６４】
第４の態様に係る建物玩具は、前記シャッター部を前記壁部の反対側から押さえるカバー部材を備える。
【００６５】
この構成によれば、カバー部材でシャッター部を押さえることにより、安定して開口部の開閉を操作できる。
【００６６】
第５の態様に係る建物玩具は、前記傾斜端面は、前記開口部の反対側に形成される。
【００６７】
この構成によれば、導光部材の終端から出射される光を、拡散させて光束密度の均一な光を開口部へ出射させることができる。
【００６８】
第６の態様に係る建物玩具は、前記終端を覆うカバー部材を備える。
【００６９】
この構成によれば、傾斜端面から出射された光がカバー部材の内部を反射又は拡散反射することにより、第一開口部２１１へ光を効率よく導光させることができる。
【００７０】
第７の態様に係る建物玩具は、前記カバー部材は、前記開口部と反対側に空間を形成しながら前記終端を覆う。
【００７１】
この構成によれば、傾斜端面から出射された光が空間内を反射又は拡散反射することにより、第一開口部２１１へ光をさらに効率よく導光させることができる。
【００７２】
第８の態様に係る建物玩具は、前記開口部と前記導光部材を複数備える。
【００７３】
この構成によれば、一つの光源から出射された光を複数の位置に分散しながら導光させ、少ない光源部品であっても多数の照明部８１へ光を供給させることができる。
【符号の説明】
【００７４】
１      建物玩具                            ２      照明玩具
１０    下層部                              １０ａ  部屋
１１    壁部                                １１ｂ  内面
１１ｃ  外面                                ２０    上層部
２０ａ  部屋                                ２１    壁部
２１ｂ  内面                                ２１ｃ  外面
３１    板材
４０    光源部                              ４１    電源
４２    ＬＥＤ
５０    導光部材                            ５１    始端
５２    終端                                ６０    導光部材
６１    始端                                ６２    終端
７０    シャッター部                        ７１    第三開口部
７２    操作部                              ８１    照明部
９１〜９３  カバー部材                      ９４，９５  ガイド部
１１１  第二開口部
１１２  第四開口部                          ２１１  第一開口部
２１２  凹部                                ２１３  スイッチ孔
４２１  発光部                              ４２２  端子
４２３  フランジ部                          ５１１  凹部
５１２  傾斜端面                            ５１３  側面
５２１  傾斜端面                            ６１１  端面
６２１  傾斜端面                            ８１１  照明カバー
９１１  側板                                ９１２  側板
９１３  天板                                ９２１  側板
９２２  中板                                ９２３  押え板
９２４  天板                                ９３１  側板
９３２  中板                                ９３３  天板
９３４  天板
Ｓ      空間                                ＳＷ    スイッチ
【図１】
0003213871.tif 000003
【図２】
0003213871.tif 000004
【図３】
0003213871.tif 000005
【図４】
0003213871.tif 000006
【図５】
0003213871.tif 000007